(57)【要約】本発明は、生分解性有機物質を含有する産業及び都市の固体及び半固体（スラッジ）廃棄物処理用組成物であって、そのような廃棄物に適用する組成物に関する。本発明は、組成物は、脱水され、化学的に未処理の紅藻類（部門  紅藻植物門）の粒子と、脱水され、化学的に未処理の褐藻類（部門  褐藻植物門）の粒子の混合物を含んで成ることを特徴とし、廃棄物の処理に関するそれらの使用に向けられている。【特許請求の範囲】
【請求項１】
生分解性有機物を含み、都市又は産業の固形廃棄物及び半固形廃棄物（スラッジ）を処理するための組成物であって、
該組成物は、紅藻類（部門  紅藻植物門）の粒子と、褐藻類（部門  褐藻植物門）の粒子の混合物であり、両方とも脱水し、化学処理していない組成物。
【請求項２】
紅藻類の粒子は、石灰紅藻類粒子、非石灰紅藻類粒子及びそれらの組み合わせの中から選択される請求項１に記載の組成物。
【請求項３】
組成物は、３〜４乾燥重量部の石灰紅藻類粒子である第１部分と、０〜１乾燥重量部の非石灰紅藻類粒子である第２部分と、１〜２乾燥重量部の褐藻類粒子である第３部分を含んで成る請求項１又は２に記載の組成物。
【請求項４】
組成物は、３〜４乾燥重量部の石灰紅藻類粒子である第１部分と、０．５〜１乾燥重量部の非石灰紅藻類粒子である第２部分と、１〜２乾燥重量部の褐藻類粒子である第３部分を含んで成る請求項１又は２に記載の組成物。
【請求項５】
石灰紅藻類粒子は、イシモ属の石灰紅藻類粒子、アッケシイシモ属の石灰紅藻類粒子及びそれらの組み合わせから選択される請求項２又は３に記載の組成物。
【請求項６】
非石灰紅藻類粒子は、オゴノリ属の非石灰紅藻類粒子、キリンサイ属の非石灰紅藻類粒子、オオキリンサイ属の非石灰紅藻類粒子、イバラノリ属の非石灰紅藻類粒子及びそれらの組み合わせから選択される請求項２又は３に記載の組成物。
【請求項７】
褐藻類の粒子は、マクロシスティス属の褐藻類粒子、コンブ属の褐藻類粒子、アスコフィラム属の褐藻類粒子、カジメ属の褐藻類粒子、ヒバマタ属の褐藻類粒子、及びそれらの組合せから選択される請求項１〜３のいずれかに記載の組成物。
【請求項８】
イシモ属及びアッケシイシモ属の石灰紅藻類粒子、オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る請求項１〜４のいずれかに記載の組成物。
【請求項９】
オゴノリ属、キリンサイ属、オオキリンサイ属及びイバラノリ属の非石灰紅藻類粒子、及びマクロシスティス属、コンブ属、アスコフィラム属、カジメ属及びヒバマタ属の褐藻類粒子を含んで成る請求項１〜４のいずれかに記載の組成物。
【請求項１０】
石灰紅藻類粒子は、３０〜６００μｍの間の粒子を含む粒度分布を有する、脱水、破砕及び粉砕された石灰紅藻類粒子である請求項２〜９のいずれかに記載の組成物。
【請求項１１】
非石灰紅藻類粒子は、３０〜１２００μｍの間の粒子サイズを有し、脱水非石灰紅藻類粒子である請求項２〜９のいずれかに記載の組成物。
【請求項１２】
脱水された前記褐藻類粒子は、３０〜１２００μｍの間の粒子サイズを有する脱水褐藻類粒子である請求項１〜１１のいずれかに記載の組成物。
【請求項１３】
生分解性有機物を含む固体及び／又は半固体廃棄物を処理する方法であって、
請求項１〜１２のいずれかに記載の組成物と接触させて廃棄物を配置することで構成される方法。
【請求項１４】
廃棄物は、都市及び産業の固体廃棄物及び半固体廃棄物（スラッジ）であって、
１メートルトンの廃棄物当り、１〜１０ｋｇの粒子混合物を使用するために、組成物の量を十分にまき散らす請求項１１に記載の方法。
【請求項１５】
廃棄物は、都市及び産業の固体廃棄物及び半固体廃棄物（スラッジ）であって、
１メートルトンの廃棄物当り、１〜５ｋｇの粒子混合物を使用するために、組成物の量を十分にまき散らす請求項１３に記載の方法。
【請求項１６】
都市の固体廃棄物のパイルに、組成物をまき散らす請求項１４又は１５に記載の方法。
【発明の詳細な説明】
【技術分野】
【０００１】
本発明は、生分解性有機物を含有する固形及び半固形（＝スラッジ）の都市及び産業廃棄物の処理（例えば、環境汚染及び公衆衛生に関する重要な問題を引き起こす都市固形廃棄物の処理等）のためのプロセス（又は工程）、方法、及び生成物の技術分野に関する。
【背景技術】
【０００２】
本発明の先行技術の水準
生分解性有機物を含有する都市及び産業の固形及び半固形廃棄物の排出は、現在、深刻な環境問題を含み、徐々に悪化しつつある。現在の処理法及びリサイクルシステムは不十分で、非効率的であり、時に汚染することがある。それ故、多くのごみ集積場は一切処理又はリサイクリングを行わないでなお稼動する。なぜならば、「解」は、時に問題を悪化させ、又はそれらの解がその処理を非常に高価な方法に変えるからである。
【０００３】
都市固形廃棄物の現在のリサイクルシステムの多くは、処理物の３０％〜６０％の量の間の廃棄物を生じ得、そのことは、（「技術的に進んだ」廃棄物に加えて）未処理の廃棄物の除去に用いられるものと同様のごみ集積場を備える必要性を示唆する。
【０００４】
非常に一般的な方法は、堆肥化する方法、即ち、有機画分がそれをコロニー化する天然微生物によって（又は発酵パイルに接種されるようになった新しい菌株によって）分解される、有機物の好熱性（又は高温を好む）及び好気性発酵法である。得られた堆肥は、病原体が存在しないことを特徴とし、農地への施肥特性を有する無害の生成物であると考えられる。しかし、膨大な量の都市固形廃棄物に適用されるこの方法は、廃棄物を後に農業に用いることができるように、廃棄物から非有機化合物を、良好に前分離することが必要である。更に、この方法は多くの時間と表面積を費やす方法であり、毒性浸出液及び悪臭を発生させ、農業従事者は、都市及び産業廃棄物により暗示される土壌汚染の高い危険性から、田畑でそれらを使用することに非常に消極的である。
【０００５】
堆肥化する方法の代替法は、高含量の有機物を含む都市及び産業廃棄物（例えば、セルロース産業からのパルプ）の高温燃焼による焼却であり、この焼却により有機物のごみ集積場の必要性はなくなるが、多くの環境問題が生じるため、社会的にも生態学的にも経済的にも強い反対を引き起こす（京都議定書による温室効果ガス排出割り当ての実施を受けて）。
【０００６】
既存のごみ集積場が満杯になること、新しいごみ集積場のための新たな場所を見つけることが難しいこと、社会的、生態学的及び政治的猛反対、大気汚染、毒性浸出液の地下水面への放出並びに温室効果ガス（ＣＯ２及びメタン）の大量放出を、高効率、低コスト及び環境害ゼロを兼ね備えるような方法で、解決することができていない。
【０００７】
基本的には、固形廃棄物の処理の産業革新は以下に焦点を当てている：
＊固形廃棄物の収集及び／又は分離及び／又は破砕及び／又は輸送のための方法及び機械（例えば、廃棄物の収集及び分離のための新しい段階及び／もしくは機械、又は破砕もしくは粉砕による処理システムを導入する；あるいはトロメルタイプ(tromel type)の輸送システム、及び／又は油圧式駆動による低速回転のシャフトを備えたクラッシャー、ディスクセパレーター等による）、
＊可燃性ガスを得るための有機物の生物分解の嫌気性工程、
＊廃棄物の殺菌及び脱水のためのマイクロ波の使用、
＊乳酸菌及び硫酸還元細菌の使用、
＊事前にふるいにかけ、破砕しておいた廃棄物への生石灰の添加、及びそれらを乾燥させ、それらを燃料として用いるためのエスケープガスの利用。
＊廃棄物からの油の乾燥、水抜き、及び抽出（例えば、植物油加工産業からの廃棄物の処理のため）方法
＊リグノ−セルロース固形廃棄物の生物分解のためのミミズの使用。
【０００８】
上記のような方法及び設備は、例えば、次の公報で記載が見られる
−ＵＳ  ５．５６８．９９６；
−ＥＳ  ２  ２１２  ５１９  Ｔ３（廃棄物の処理及び除去に関連する方法及び設備）；
−ＥＳ  ２  １８７  ３２５  Ａ１（都市固形廃棄物の処理システム）；
−ＥＳ  ２  １０３  ４６４  Ｔ３（有機物の調節された削減のための方法及び装置）；
−ＥＳ  ２  １０７  ８８１  Ｔ３（乳酸菌及び硫酸還元細菌を用いる硫酸塩及び重金属を含有するスラリー及びごみの処理）；
−ＥＳ  ２  １７６  ６９１  Ｔ３（有機性ごみの処理の手順及び設備、並びに前記手順の応用）；
−ＥＳ  ２  １７２  ４５９  Ａ１（都市固形廃棄物の処理のための手順及び装置）；
−ＥＳ  ２  １７３  ７８７  Ａ１（油性産物（オリーブ及び類似物等）の油抽出工程からの固形廃棄物の処理のための手順及び設備）；
−ＥＳ  ２  １２８  ８９４  Ａ１（都市及び／又は農業廃棄物と同様に、都市及び／又は産業の固形廃棄物から可燃性固形材料を製造するための手順）；
−ＥＳ  ２  ０６３  ６７８  Ａ１（製紙業から生じるリグノ−セルロース廃棄物の生物分解方法）、
−ＵＳ−５．０５５．４０２：この特許明細書では、水溶液から重金属を除去するための、藻類を含む組成物を開示する。この藻類は紅藻類又は褐藻類であってよく、例えば、Cyanidium属−コンブ属（Laminaria）の組合せを例示する。とはいえ、これは藻類の単なる混合物ではなく、具体的には、水酸化ナトリウムで化学処理した藻類であり、上記の混合物を塩化カルシウム溶液に滴下することによって球体を形成し、塩化物からその球体を抽出し、次いで、後処理を行い後、オーブンで乾燥させたものである。
【０００９】
近年、開発された技術は、改良されているが、例えば、以下のような様々な不都合な点がなお存在する：
−悪臭の発生
−極めて汚染されている有害な浸出水の排出。
−廃棄物の破砕、並びに廃棄物処理の嫌気性工程で発生したガスの配管及び貯蔵工程における危険。
−処理に更なるエネルギーを消費する必要性。
−廃棄物分離システムの閉塞及び効率の悪さ。
−堆肥化工程の極端な期間、製品の質の悪さ、及び最終製品のリサイクルが大変困難であること。
−機械及びその維持への莫大な経済的投資の必要性。
−有機物の好気性及び／又は嫌気性発酵工程を加速するための生存活性微生物株を有する必要性。
−分離、処理、排気等のためのシステムの取得、組立、及び維持の高コスト。
【発明の開示】
【発明が解決しようとする課題】
【００１０】
従って、固形及び半固形（＝スラッジ）の都市及び産業廃棄物、より具体的には、水処理設備からの廃棄物を処理するための技術を有し得ることが望ましい目的であり、該技術は、生分解性有機物を含み、かつどんな特別な機械も必要とせず、嫌気性分解工程（又はプロセス）に基づかず、その工程において特定の段階を行う必要もなく、特定の細菌性微生物の接種も用いず、かつ同時に堆肥化工程を加速し、浸出液及び悪臭の発生に関連する問題を低減させるであろうものである。
【課題を解決するための手段】
【００１１】
本発明の説明
本発明の目的は、都市又は産業の固形廃棄物及び半固形（スラッジ）廃棄物、好ましくは、水処理設備からの廃棄物を処理するための組成物及び方法を用いて、上記の目的を達成することであり、該組成物及び方法は、生分解性有機物を含み、該組成物は紅藻類（部門  紅藻植物門（Rhodophyta））の粒子と褐藻類（部門  褐藻植物門（Phaeophyta））の粒子（両方とも脱水されており、化学処理されていないもの）の混合物であり、該方法は廃棄物を該組成物と接触させて配置することを含む。
【発明を実施するための形態】
【００１２】
本発明に基づいて、紅藻類の粒子は、好ましくは、イシモ属（Lithothamnion）の石灰紅藻類粒子、アッケシイシモ属（Phymatolithon）の石灰紅藻類粒子の中から選択され得る石灰紅藻類粒子（ミール（maerl）又はlithothamneとして一般に知られている）、オゴノリ属（Gracilaria）の非石灰紅藻類粒子、キリンサイ属（Eucheuma）の非石灰紅藻類粒子、オオキリンサイ属（Kappaphycus）の非石灰紅藻類粒子、イバラノリ属（Hypnea）の非石灰紅藻類粒子の中から選択される非石灰紅藻類粒子、及びかかる粒子の組合せの中から選択される。同様に、褐藻類の粒子は、マクロシスティス属（Macrocystis）の褐藻類粒子、コンブ属（Laminaria）の褐藻類粒子、アスコフィラム属（Ascophyllum）の褐藻類粒子、カジメ属（Ecklonia）の褐藻類粒子、ヒバマタ属(Fucus)の褐藻類粒子、及びそれらの組合せの中から選択され得る。
【００１３】
本発明の好ましい実施形態では、前記組成物は、イシモ属及びアッケシイシモ属の石灰紅藻類粒子と、オゴノリ属、キリンサイ属、オオキリンサイ属、及びイバラノリ属の非石灰紅藻類粒子と、マクロシスティス属、コンブ属、アスコフィラム属、カジメ属、及びヒバマタ属の褐藻類粒子を含んで成る。
【００１４】
本発明の１つの更なる好ましい実施形態では、前記組成物は、オゴノリ属、キリンサイ属、オオキリンサイ属、及びイバラノリ属の非石灰紅藻類粒子と、マクロシスティス属、コンブ属、アスコフィラム属、カジメ属、及びヒバマタ属の褐藻類粒子を含んで成る。
【００１５】
本発明の１つの更なる好ましい実施形態では、前記組成物は、イシモ属の紅藻類粒子、アッケシイシモ属の石灰紅藻類粒子、及びそれらの組合せの中から選択される石灰紅藻類粒子を含んで成る。
【００１６】
本発明の１つの更なる好ましい実施形態では、前記組成物は、３〜４乾燥重量部の石灰紅藻類粒子である第１部分と、０〜１乾燥重量部の非石灰紅藻類粒子である第２部分と、１〜２乾燥重量部の褐藻類粒子である第３部分を含む。
【００１７】
本発明の１つの更なる好ましい実施形態では、前記組成物は、３〜４乾燥重量部の石灰紅藻類粒子である第１部分と、０．５〜１乾燥重量部の非石灰紅藻類粒子である第２部分と、１〜２乾燥重量部の褐藻類粒子である第３部分を含む。
【００１８】
前記石灰紅藻類粒子は、例えば、３０〜６００μｍの間の粒子を含む粒度分布を有する、脱水、破砕及び粉砕された石灰紅藻類粒子であり得、一方、前記非石灰紅藻類粒子は、３０〜１２００μｍの間の粒子サイズを有し、脱水非石灰紅藻類粒子であり得る。脱水された前記褐藻類粒子は、３０〜１２００μｍの間の粒子サイズを有する脱水褐藻類粒子であり得る。
【００１９】
本発明の方法は、固形及び／又は半固形（スラッジ）の都市及び／又は産業廃棄物（好ましくは、水処理設備からのもの）を、上記の組成物と接触させて配置することを含み、例えば、前記組成物をかかる廃棄物（都市固形廃棄物の場合又はごみ集積場及び堆肥化設備内に存在する廃棄物を扱う場合、蓄積パイル（積み重ね、堆積又は山：pile）として存在することができる）に振りかけるか、もしくは撒き散らし、及び／又は前記組成物をかかる廃棄物と混合することによって配置する。処理する廃棄物の組成及び水和の程度に応じて、１メートルトンの廃棄物当たり、１〜１０ｋｇの間の前記組成物、１〜５ｋｇの前記組成物でさえ、使用する（加える、つける又は適用する：apply）ために一般に十分である。この使用（加えること又は適用）は、粒状製品を使用するために従来用いられているいずれかの機械を用いることができる。
【００２０】
本発明の組成物を使用することで、発酵工程の急速な加速を生じさせ、前記廃棄物がパイル形態でたとえ存在するとしても、廃棄物のパイルの温度上昇を生じ、蒸発速度の上昇を生じ、従って、浸出液の排出の停止を生じ、硫化水素、窒素化合物、及びメルカプタンの含有量が低下するために、悪臭の放出の低減又は除去を生ずる。好気性分解工程のこの急速な加速は、主として、中温性及び好熱性の両方の微生物個体群に対する藻類の生物刺激効果によるものである。
【００２１】
処理によって生じる廃棄物は、乾燥した無臭生成物からなり、廃棄物の割合及び組成に応じて高燃焼熱（３，０００〜７，０００ｋｃａｌの間）を有し、燃料として完全に使用可能である。
【実施例】
【００２２】
発明の実施形態の様態
下記の例により本発明を更に説明する。
【００２３】
例１
３バッチの乾燥粒子、即ち、脱水、破砕及び粉砕された、３０〜６００μｍの粒子混合物で構成される粒度分布を有するイシモ属の石灰紅藻類粒子６０ｋｇの第１バッチ、脱水、破砕及び粉砕された、３０〜１２００μｍの間の粒子混合物で構成される粒度分布を有するオゴノリ属の非石灰紅藻類粒子２０ｋｇの第２バッチ、及び脱水、破砕及び粉砕された、３０〜１２００μｍの間の粒子混合物で構成される粒度分布を有するヒバマタ属の褐藻類粒子２０ｋｇの第３バッチを調製した。その後、これらの３バッチを、均一に混合し、６０重量％のイシモ属藻類粒子、２０重量％のオゴノリ属藻類粒子、及び２０重量％のヒバマタ属藻類粒子から成る混合物を得た。
【００２４】
ごみ集積場では、このようにして得られた混合物６０ｋｇを、破壊屑の種類による分別を行わないで、浸出液の貯留を含むプラスチックバンドに堆積した高さおよそ３ｍ、べースおよそ８×８ｍの都市廃棄物のパイルにシャベルで振りかけ（又は撒き散らし：sprinkle）、ランダムに選択した。
−２４時間後、浸出液の排出に大幅な減少が見られ、７２時間後に浸出液が実質的に完全に消失した。
−２４時間後、硫化水素、メルカプタン及びアミンの発生の大幅な減少と、７２時間後、実質的に完全に消失した。
−１２時間後、アンモニア性窒素化化合物中のもののほぼ完全な除去（例えば、２，０００ｐｐｍ〜１００ｐｐｍ）。
−振りかけた（又は適用した）６時間後、５０℃に温度上昇。
−環境条件に応じて、２〜４日後に固形の乾燥した最終廃棄物。
【００２５】
本発明は、有機物含量の高い固形及び半固形廃棄物の削減及び処理のための従来の技術に関する先に記載した問題を、残留汚染を生み出すことなく、はるかに経済的な方法で解決すること、及び本発明は、機械又は特定の工程（又はプロセス）を必要とすることなく、幅広い種類の廃棄物に関して高効率で行い、都市固形廃棄物の場合、燃料としてリサイクル可能な生成物を得られるということが、この試験により認められる。
【００２６】
例２
ＥＣＯＰＡＲＣ−２からの廃棄物を用いる試験
本例では本発明の組成物及び方法の有効性を示す。
Zaragozaの廃棄物処理センター（Ｃ．Ｅ．Ｒ．：waste elimination centre）で、試験を行った。このごみ集積場は、行う処理が、その正常な機能に悪影響を及ぼさない平らな不透水性領域を備えるので、選択した。
試験を行った材料は、Ｅｃｏｐａｒｃ−２として知られるBarcelonaの処理施設からの廃棄物であった。本発明によれば、用語「ごみ」とは、リサイクル施設での廃棄物処理後に残る破壊屑の残骸であり、ごみ集積場に投入される粒状廃棄物を指し；その有機物含量はおよそ１５％〜２０％の間である。
製品（又はプロダクト）を３サンプルで検証し、異なる濃度及び処理で操作した。
【００２７】
用いた製品
これらの試験では、使用する組成物は、環境保護的なもので、有機物を迅速に安定化することができ、脱水化されており、かつ悪臭を排除するものであることを証明する。
これらの製品の一部は海洋性誘導体であり、サンプルに用いられるものは、次の組成を有する混合物に相当するＢｉｏｃｏｍｐｏｓｔ  Ｆ及びＢｉｏｃｏｍｐｌｅｘであった：
Ｂｉｏｃｏｍｐｏｓｔ  Ｆ：本明細書で記載したような、石灰紅藻類と、非石灰紅藻類と、マクロシスティス属、カジメ属及びヒバマタ属の褐藻類との混合物である。
Ｂｉｏｃｏｍｐｌｅｘ：本明細書で記載したような、非石灰紅藻類と、マクロシスティス属、カジメ属とヒバマタ属の褐藻類との混合物である。
更に、廃棄物によって生じる悪臭を除去する製品の効果について解析を行った；これらの生化学的脱臭剤はＡＭ−Ｆｌａｓｈであり、このＡＭ−Ｆｌａｓｈは様々な芳香のものが入手可能である。
【００２８】
測定したパラメーター
すべての試験において、測定したパラメーターは以下のものである：
−臭気：臭気が許容できない場合、その後、焼却できないので、このパラメーターを測定することは必須である。これは極めて主観的な特性であるので、このような理由で、臭気の強度に応ずる基準を用いることを決めた。提案した基準を以下に示す：
−極低：顕著な臭気はない。
−低：臭気は感知できるが、煩わしいものではない。
−中：臭気はより感知でき、不愉快になり始める。
−高：臭気はかなり不愉快である。
−極高：臭気は過度に不愉快である。
【００２９】
−蒸気：このパラメーターは、ごみによる蒸気生成の観察を示す。有機物の発酵が廃棄物のパイル内で開始すると、温度は高値（６０℃まで上昇し得る）に達する。このため、廃棄物が蒸気を発すると、有機物がパイル内で発酵していることを確かめることができる。
このパラメーターは、発酵の存在を肯定又は否定するだけのものである。蒸気の発生が極めて多い場合、多いことを表では「高」と記載する。一方、蒸気がごくわずかのポイントで観察される場合には、「低」と記録する。
【００３０】
−浸出液：これは、廃棄物をひっくり返したときに、その場所で下部がジメジメしている又はびしょぬれであることが観察されるかどうかを示す。
上記パラメーターと同様に、廃棄物中に存在する水分がその後の焼却の基本的要因であり、浸出液が存在する可能性は、高湿度のかなり直接的な指標であるため、これも非常に重要である。
これはその存在の有無を明記することにより記録する：その場所が乾燥しているときには、浸出液が存在しないと考えられ、逆もまた同様である。
【００３１】
これらのパラメーターに加え、廃棄物の種類、昆虫の存在等の様々な観察と一緒に、試験の場所での天候についてのデータ（相対湿度、降水量、気流速度、風の種類、最高及び最低温度等）も記録する。
【００３２】
最終試験では、廃棄物のパイル内の温度を容易に測定することができる長さ１．５ｍのプローブを用いることを決めた。これらの測定値は有機物の発酵のある時点での状態を確認するために極めて有用であり、℃で示される。
【００３３】
パイルの内部の測定は、測定値を安定させるために、プローブを各ポイントに１０分間置いて多様に行った。パイルの表面温度と測定時の周囲温度も書きとめた。これらの後者の測定値と内部温度の平均値との差が０に近づくとき、有機物の発酵が終了したことを示す。
【００３４】
行われる処理
これらの材料を代替燃料として適したものにするためには、事前に廃棄物を破砕する必要があるが、これは種々の組成物の廃棄物への作用のためにも望ましい。
【００３５】
試験を行う場所では、適当な機械を用いて廃棄物を様々な回数ひっくり返した。酸素、言い換えれば、好気性培地（又は媒体）の存在は、これらの組成物が有機物の発酵をもたらし、正しく作用するならば、必須条件であるので、このようにひっくり返すことが必要である。廃棄物に酸素を供給するために、機械、シャベルによってひっくり返すことで十分である。
【００３６】
一度廃棄物を処理したら、そのサイズを更にもっと、最初の破砕より小さな直径まで小さくすることが重要である。これを行うために、処理した材料をそれらに最適なクラッシャーが見つかるであろうLeonに運んだ。一度破砕したら、それらは、Lemona セメント施設でそれらの後の焼却が行える状態となった。
【００３７】
試験１
この最初の試験では、廃棄物をＥｃｏｐａｒｃ−２で破砕した。次に、１ｋｇ量のＢｉｏｃｏｍｐｏｓｔ  Ｆを、５トンの廃棄物に振りかけた。Ｂｉｏｃｏｍｐｏｓｔ  Ｆと混合した破砕廃棄物を、その後、輸送用に円筒形のベール（俵又は梱包：bale）に圧縮した。成形したベールをフォークリフト車で集め、保存した。これらは、試験１で、Zaragoza廃棄物処理センターで用いられる廃棄物のベールである。
【００３８】
この試験は、廃棄物がZaragoza ごみ集積場に到着した２００５年８月１２日金曜日に開始した。１９．６トンの、Ｂｉｏｃｏｍｐｏｓｔ  Ｆと混合された廃棄物を、区画された選択ゾーンに高さ０．７５ｍのパイルで広げた。
【００３９】
この試験の途中で、少量の脱臭剤を、水１５ｌ中ＡＭ−Ｆｌａｓｈ（the firm Fragrance Oils（international）Limited製）７５０ｍｌの濃度で、廃棄物の一部に加えた。廃棄物に対するＡＭ−Ｆｌａｓｈの効果を確認するために、残りはこれまでどおり脱臭剤を加えずに放置した。
【００４０】
２００５年８月１８日金曜日まで検証し、１週間が経過したら、この最初の試験を止めた。
【００４１】
臭気、蒸気、及び浸出液を測定し、顕著な所見をすべて記録した。適当と考えられたときはいつでも廃棄物をひっくり返した。処理した廃棄物の解析はAlkimen laboratoryで行った。
【００４２】
Ｅｃｏｐａｒｃ−２廃棄物を用いる試験１の結論
この試験では、Ｂｉｏｃｏｍｐｏｓｔ  Ｆと脱臭剤で処理しただけのパイルは、その処理後に、廃棄物をひっくり返したときに蒸気が見られず、浸出液も一切生じなかったことから、６日後にその有機物を何とか安定させたことが認められた。臭気は極低強度であり、この廃棄物のもつ悪臭も１週間で何とか消失させたことからかなり満足のいくものであった。
【００４３】
一方、脱臭剤を加えなかったＢｉｏｃｏｍｐｏｓｔ  Ｆに関する試験では、最終日に廃棄物をひっくり返したときには、蒸気はなお発生しており、このことにより有機物がまだ発酵中であることが分かった。悪臭は、最初の日ほど強くはないが、ひっくり返した後に再び強まった。よって、この処理において脱臭剤を加えることは不可欠である。
【００４４】
次の表はこの試験で得られた結果を示す。
【表１】
2009501626.tif 000002
Ａｌｌ：Ｂｉｏｃｏｍｐｏｓｔ  Ｆ  １ｋｇ／廃棄物５トンの濃度であるＥＣＯＰＡＲＣ−２からの廃棄物１９．６トン
Ａ：２００５年８月１２日金曜日の場合と同じ条件下で放置した廃棄物１４．７トン
Ｂ：２００５年８月１２日金曜日の場合と同じ条件とし、２００５年８月１７日に水１５ｌ中ＡＭ−Ｆｌａｓｈ脱臭剤７５０ｍｌを加えた廃棄物４．９トン。
【００４５】
試験２
これまでの結果を受け、この試験ではＢｉｏｃｏｍｐｏｓｔ  Ｆの濃度を高め、ＡＭ−Ｆｌａｓｈを加えた。この試験も１週間続け、廃棄物も前の試験の場合と同様に、Ｅｃｏｐａｒｃ−２からのものとし、それを同様に破砕した。１．３ｋｇ量のＢｉｏｃｏｍｐｏｓｔ（廃棄物１トン当たり）を加え、今回は最初から脱臭剤ＡＭ−Ｆｌａｓｈを、水１５ｌで希釈した脱臭剤２００ｍｌの量で適用した。
【００４６】
今回は、廃棄物を円筒形のベールには圧縮しないで、ベールを開く余分な仕事を回避し、できるだけ工程（又はプロセス）を簡単にした。この試験では、Ｂｉｏｃｏｍｐｏｓｔ  Ｆと脱臭剤を含む廃棄物を輸送ボックスに入れた。
【００４７】
２００５年８月２４日水曜日に、廃棄物、合計１８，２６０ｋｇがZaragozaに到着した。この量を２つの部分に分けた：
−廃棄物Ａ：廃棄物９，６６０ｋｇを高さ０．５０ｍの列に広げた。
−廃棄物Ｂ：他の部分は、８，６００ｋｇになり、Ardoncino(Leon)に向かう予定のトラックに積み込んだ。
【００４８】
廃棄物Ａはその発展を調べるためにZaragozaに残し、廃棄物Ｂは、解析後、破砕のためにLeonに送り、代替燃料としての検証のためにそこからLemonaのセメント施設に送った。
【００４９】
Ｅｃｏｐａｒｃ−２において、試験を、より多くの廃棄物を用いて、試験１の場合と同様に行い、２００５年８月２４日にZaragozaに到着したものと同じように処理した。合計１２，８２０ｋｇの廃棄物が存在し、それを廃棄物Ｃと称した。
【００５０】
試験２は２００５年８月２６日水曜日に完了したと考えて、試験の最後にこれらの濃度及び処理の有効性を調べた。
【００５１】
Ｅｃｏｐａｒｃ−２廃棄物を用いる試験２の結論
使用組成物：廃棄物１トン当たりＢｉｏｃｏｍｐｏｓｔ  Ｆ  藻類  １．３ｋｇと、水１５ｌで希釈したＡＭ−Ｆｌａｓｈ  ２００ｍｌを用いて、５〜６日後、廃棄物は許容できる臭気を有し、湿気がほとんどなく、有機物の発酵から、失活工程が６〜７日後に終了したことを確認できた。
【００５２】
次の表はこの試験で得られた結果を示す。
【表２】
2009501626.tif 000003
＊：より多くの脱臭剤を加えた
Ａ：Ｂｉｏｃｏｍｐｏｓｔ  Ｆ  １．３ｋｇ／廃棄物１，０００ｋｇの濃度であるＥＣＯＰＡＲＣ−２からの廃棄物９，６６０ｋｇ、及び水１５ｌ中２００ｍｌの濃度のＡＭ−Ｆｌａｓｈ。
Ｂ：２００５年８月２４日水曜日にLeonに向かう予定の、サンプルＡと同じ廃棄物８，６００ｋｇ。
Ｃ：２００５年８月２５日木曜日に到着した、廃棄物Ａと同じ特徴を有する廃棄物１２，８２０ｋｇ。
【００５３】
試験３
この最終試験では、６日間かけて処理の効果を調べたいと考え、サンプルの内部温度及び表面温度を毎日測定した。これらの測定は、本発明の混合物の有効性を調べることを目的とした。
【００５４】
廃棄物は、Ｅｃｏｐａｒｃ−２における前の試験のように破砕したが、処理からの廃棄物は、Zaragoza ごみ集積場に入れた。この廃棄物の解析を、本発明の組成物を用いる処理の前及び後に、Novotec laboratoryで行った。
【００５５】
２００５年９月２７日火曜日に、Barcelonaから廃棄物を受け取り、それを２つのパイルに分け、一方の５８０ｋｇのものを、処理したごみと比較し、この処理の効果を検証するための対照とした。もう一方の１４，０００ｋｇのはるかに大きなパイルを処理に関するサンプルとするために用いた。
【００５６】
廃棄物１トン当たり１ｋｇの、９０％Ｂｉｏｃｏｍｐｏｓｔ  Ｆ  藻類製品及び１０％Ｂｉｏｃｏｍｐｌｅｘをサンプルに加えた。１４，０００ｋｇのサンプルに対して、海洋性製品１４ｋｇを加えた：Ｂｉｏｃｏｍｐｏｓｔ  Ｆ  １２．６ｋｇ＋Ｂｉｏｃｏｍｐｌｅｘ  １．４ｋｇ。
【００５７】
臭気を除去するために、ＡＭ−Ｆｌａｓｈ脱臭剤を水１０ｌ中ＡＭ−Ｆｌａｓｈ  １００ｍｌの濃度で振りかけた。
毎日温度の測定と、更に他のパラメーターの測定を行った。
【００５８】
Ｅｃｏｐａｒｃ−２廃棄物を用いる試験３の結論
図１のグラフは、６日間にわたって処理したごみのサンプルと対照の温度の比較を示す。
図１で分かるように、試験開始の際のパイルの平均内部温度は同じくらいで３５℃であった。
【００５９】
第１日目に２つのパイルの温度を測定したところ、１０℃上昇していた、言い換えれば、有機物が発酵中であった。パイルをひっくり返したときに、臭気はなお高強度であり、蒸気はまだ見られなかった。
【００６０】
試験の第２日目では測定値にかなり差があり、対照では平均内部温度が５０℃に達し、一方、サンプルでは平均値が４０℃であった。両方のケースにおいて、ひっくり返したときに蒸気が発生した。
【００６１】
図１で分かるように、対照では平均内部温度の最高ピークは第２日目に起こり、一方、サンプルでは測定値の最高ピークはその前の日に起こった、言い換えれば、発酵が加速した。第１日目にサンプルがその最高地点に達した瞬間から、その温度は第６日目まで連続して降下し始め、第６日目にはサンプルの内部温度は同じパイルの表面温度及び周囲温度と同じくらいであった。一方、未処理の対照では、内部温度は１７日が経過するまでそんなに速くもそんなに比例的にも降下しなかったことも認められた。
【００６２】
次の表は試験３で得られた結果を示す：
【表３】
2009501626.tif 000004
対照：ごみ５８０ｋｇ
サンプル：ごみ１トン当たり１ｋｇの、９０％のＢｉｏｃｏｍｐｏｓｔ  Ｆおよび１０％のＢｉｏｃｏｍｐｌｅｘを混合した海洋性製品の濃度であるＥｃｏｐａｒｃ−２からのごみ。水１０ｌ中ＡＭ−Ｆｌａｓｈ  １００ｍｌも加えた。
【００６３】
例３
ごみの供給源は、リサイクル施設でのごみの処理後に残る廃棄物である。現在のより高性能の選別及びリサイクル手段を用いると、リサイクル施設におけるごみの割合は、受入材料の５５％にまで達する。処理施設を通過後、都市固形廃棄物は、通常、以下のもので構成される：
−有機物：４０〜４５％
−リサイクル可能な生成物：６〜１２％及び
−ごみ：５２〜４１％
【００６４】
本発明の組成物を用いてごみを処理することにより、高発熱量の最終廃棄物が生み出される。
【００６５】
本発明の組成物を用いてごみの処理を行ったが、それに関して、およそ３週間の期間にわたって得られた温度曲線を検討し、その結果を図２に示す。
【００６６】
本発明の組成物を用いて固形廃棄物の処理後に得られた材料の使用法（又は用途）は極めて多様であり、これらの材料は、例えば、マルチ燃焼発電施設（multicombustible power plants）、暖房設備及びセメント施設で使用することができる。
【図面の簡単な説明】
【００６７】
【図１】図１は、本発明の組成物及び方法を用いて処理の間の廃棄物の温度変化のグラフを示す。本発明の組成物を用いて処理されたごみに対し、失活工程が６日で終わることが分かる。
【図２】図２は、ごみの処理の結果を示す。
【図１】
2009501626.tif 000005
【図２】
2009501626.tif 000006
【国際調査報告】
2009501626.tif 000007
2009501626.tif 000008
2009501626.tif 000009
2009501626.tif 000010
2009501626.tif 000011
2009501626.tif 000012
2009501626.tif 000013
2009501626.tif 000014